(57)【要約】【課題】組立作業性および全体の小型化が可能な製パン機を提供する。【解決手段】焼成室３を設けた本体１と、パンケース４１と、パンケース４１内に装着した羽根部材４４と、駆動モータ１１と、第１プーリ１６と、第２プーリ１７と、エンドレスベルト１８とを備えた製パン機において、第１プーリ１６を第２プーリ１７に対して接離する方向に移動可能に装着するとともに、第１プーリ１６を第２プーリ１７から離間させてエンドレスベルト１８を張設した状態で位置決めする位置決め手段を設ける。具体的には、第１プーリ１６を回転可能に受ける軸受部材１５を備え、位置決め手段は、基体１４に設けた貫通孔２５と、軸受部材１５に設けた設けたネジ孔３４とからなる。【選択図】　図１
2004008337.tif 000002
【特許請求の範囲】
【請求項１】
基体上に加熱手段を有する焼成室を設けた本体と、前記焼成室内に着脱可能に配置されるパンケースと、該パンケース内に回転可能に装着した羽根部材と、前記基体に固定した駆動モータと、前記基体に回転可能に取り付けるとともに前記羽根部材を着脱可能に連結する第１プーリと、前記駆動モータの出力軸に連結した第２プーリと、これら第１および第２プーリに巻回したエンドレスベルトとを備えた製パン機において、
前記第１プーリを第２プーリに対して接離する方向に移動可能に装着するとともに、第１プーリを第２プーリから離間させてエンドレスベルトを張設した状態に位置決めする位置決め手段を設けたことを特徴とする製パン機。
【請求項２】
前記第１プーリを回転可能に受ける軸受部材を備え、前記位置決め手段は、前記基体に設けた貫通孔と、前記軸受部材に設けた設けたネジ孔とからなることを特徴とする請求項１に記載の製パン機。
【発明の詳細な説明】
【０００１】
【発明の属する技術分野】
本発明は、製パン機に関するものである。
【０００２】
【従来の技術】
この種の製パン機としては、特開平３−１６５７１６号公報に記載されたものがある。この製パン機は、本体内に加熱ヒータを配設した焼成室と、該焼成室内に着脱可能に配置するパンケースとを備えている。このパンケースには、内部に収容させたパン材料を混練するための羽根部材が底に回転可能に取り付けられている。また、前記本体には、前記焼成室の横に前記羽根部材を回転駆動するための駆動モータが設置されており、該駆動モータと羽根部材とは動力伝達機構を介して連結されている。
【０００３】
前記動力伝達機構は、パンケースを焼成室内に配置することにより前記羽根部材に連結される第１プーリと、前記駆動モータの出力軸に連結された第２プーリと、これらのプーリに巻回されたエンドレスベルトとからなる。
【０００４】
【発明が解決しようとする課題】
しかしながら、前記製パン機は、動力伝達機構の組立時に、第１および第２のプーリにかけてエンドレスベルトを巻回する作業が非常に困難であるという問題がある。また、前記製パン機は、羽根部材を回転駆動するための駆動モータが本体において焼成室の横に位置するように配設されているため、全体形状が横方向に大きくなり、設置に係る占有スペースが広くなるという問題がある。
【０００５】
ここで、前記占有スペースの問題を解決するためには、駆動モータを焼成室の下部に配置することが考えられる。しかし、この構成を実現するには、前記プーリの外径、即ち、羽根部材が必要とする回転速度により限界がある。そのうえ、第１および第２プーリを接近させた場合、誤差の許容範囲が小さくなり、また、エンドレスベルトは長さの寸法誤差が生じやすいため、取付作業性が一層悪くなるという問題がある。
【０００６】
そこで、本発明では、組立作業性および全体の小型化が可能な製パン機を提供することを課題とするものである。
【０００７】
【課題を解決するための手段】
前記課題を解決するため、本発明の製パン機は、基体上に加熱手段を有する焼成室を設けた本体と、前記焼成室内に着脱可能に配置されるパンケースと、該パンケース内に回転可能に装着した羽根部材と、前記基体に固定した駆動モータと、前記基体に回転可能に取り付けるとともに前記羽根部材を着脱可能に連結する第１プーリと、前記駆動モータの出力軸に連結した第２プーリと、これら第１および第２プーリに巻回したエンドレスベルトとを備えた製パン機において、前記第１プーリを第２プーリに対して接離する方向に移動可能に装着するとともに、第１プーリを第２プーリから離間させてエンドレスベルトを張設した状態に位置決めする位置決め手段を設けた構成としている。
【０００８】
前記製パン機によれば、第１プーリを第２プーリに対して接離する方向に移動可能に装着しているため、第１プーリと第２プーリとを接近させた状態で、これらにエンドレスベルトを巻回した後、第１プーリを離間させてエンドレスベルトを張設する。そして、この状態で、位置決め手段によって第１プーリを位置決めすることにより、簡単に取り付けることができる。そのため、第１プーリと第２プーリとを接近する状態に設計しても、エンドレスベルトの確実に装着できるため、駆動モータを焼成室の下部に最大限オーバーラップするように配置することができる。
【０００９】
前記製パン機では、前記第１プーリを回転可能に受ける軸受部材を備え、前記位置決め手段は、前記基体に設けた貫通孔と、前記軸受部材に設けた設けたネジ孔とからなる構成とすることが好ましい。このようにすれば、貫通孔を通してネジ孔にネジを締め付けることにより、第１プーリと第２プーリとの間隔を微調整可能とすることができる。そのため、エンドレスベルトに寸法誤差があっても確実に張設した状態に調整することができる。
【００１０】
【発明の実施の形態】
以下、本発明の実施の形態を図面に従って説明する。
図１は本発明に係る第１実施形態の製パン機を示す。この製パン機は、上端開口の本体１に蓋体３７が開閉可能に装着されるとともに、本体１の内部にパンケース４１を着脱可能に装着するものである。
【００１１】
前記本体１は、胴部材２ａと底部材２ｂとからなる外装体２を備えている。この外装体２の内部には、隔壁によって区画された上端開口の焼成室３と、遮熱板によって区画された前側の操作基板収容室６と、焼成室３の下部の駆動機構収容室１０とが設けられている。
【００１２】
前記焼成室３は、パンケース４１を着脱可能に収容するもので、その内周下部には、前記パンケース４１を加熱するヒータ４が配設されている。この焼成室３の底面中央には貫通孔が設けられ、この貫通孔の縁に補強部材５が配設されている。なお、この補強部材５には、所定間隔をもって後述する基体１４に位置決めするための支持脚５ａが設けられている。
【００１３】
前記操作基板収容室６には、胴部材２ａの正面に操作パネル７が配設され、その背部には入力手段である操作スイッチ８、図示しないマイコンおよび液晶パネル９ａを実装したパネル基板９が配設されている。
【００１４】
前記駆動機構収容室１０には、前記焼成室３の下部を支持する基体１４が配設され、この基体１４に後述するパンケース４１の羽根部材４４を駆動するための駆動モータ１１と、これら駆動モータ１１と羽根部材４４とを連結して動力を伝えるための動力伝達機構１３と、前記ヒータ４や駆動モータ１１などの負荷部品をマイコンの指示に従って制御する電気部品が実装された制御基板１２とが配設されている。また、焼成室３の側面に接触するように、温度検知手段として図示しないサーミスタが配設されている。
【００１５】
前記動力伝達機構１３は、基体１４において、前記焼成室３の中心と対応する位置に設けた軸受部材１５と、該軸受部材１５に回転可能に取り付けるとともに羽根部材４４を着脱可能に連結する大径の第１プーリ１６と、前記駆動モータ１１の出力軸に設けた小径の第２プーリ１７と、これらプーリ１６，１７に巻回したエンドレスベルト１８とからなる。ここで、前記第１プーリ１６の上面中央には、前記羽根部材４４を着脱可能に装着するために、複数の差込溝を設けた連結部１６ａが設けられている。
【００１６】
前記基体１４は、矩形状をなす上面部１９の両側より側面部２０を屈曲させた断面凹字形状のもので、前記焼成室３の中心と対応する略中央に前記軸受部材１５を固定し、この軸受部材１５の左側領域に駆動モータ１１を固定するとともに、右側領域に制御基板１２を配設するようになっている。
【００１７】
具体的には、図２（Ａ），（Ｂ）および図４に示すように、上面部１９の略中央には、軸受部材１５の取付孔２１が切り起こして設けられるている。この取付孔２１は、その内部で軸受部材１５が移動できるように、駆動モータ１１とは反対側から内部に向けて大きく切り起こして形成されている。また、前記取付孔２１の周囲には、前記プーリ１６，１７が接離する方向に延びる長円形状をなす一対のガイド溝２２が設けられている。さらに、前記取付孔２１の周囲には、所定間隔をもって軸受部材１５を移動不可能な状態に固定するための貫通孔２３が設けられている。
【００１８】
また、前記取付孔２１を形成するための切起部２４には、プーリ１６，１７の接離方向に沿ってネジ締めするための貫通孔２５が設けられている。さらに、切起部２４の下端には、制御基板１２を固定するためのネジ孔２６ａを備えた取付片２６が水平方向に屈曲して設けられ、制御基板１２を基体１４から所定間隔をもって設置できるように構成している。
【００１９】
さらに、上面部１９の左側には、駆動モータ１１の出力軸を突出させる挿通穴２７が設けられるとともに、該挿通穴２７の周囲に所定間隔をもって駆動モータ１１を移動不可能な状態に固定するためのネジ孔２８が設けられている。なお、図２中、２９は空気流通用の孔である。
【００２０】
前記軸受部材１５は、図２（Ａ），（Ｂ）および図３（Ａ），（Ｂ）に示すように、上側の受皿部３０に円筒状の受筒部３１を貫通して設けた形状をなす。受皿部には、前記ガイド溝２２と対応する位置に凸部３２が設けられるとともに、前記貫通孔２３と対応する位置にネジ孔３３が設けられている。また、受筒部３１には、前記切起部２４の貫通孔２５と対応する位置にネジ孔３４が設けられている。なお、受筒部３１には、前記第１プーリ１６から突出した軸部１６ｂがスリーブ３５によって回転可能に支持された状態で挿通される。図３中、３６は排水経路を構成するパイプ部である。
【００２１】
なお、前記構成の基体１４と軸受部材１５は、前記ガイド溝２２と凸部３２とで、第１プーリ１６を第２プーリ１７に対して接離方向に移動可能とするスライド手段を構成する。また、前記貫通孔２３とネジ孔３３、および、貫通孔２５とネジ孔３４は、基体への位置決め手段を構成する。
【００２２】
前記蓋体３７は、外装カバー３８と、焼成室３の上端開口を閉塞する金属製の内側カバー３９とからなり、前記本体１に背部でヒンジ構造により接続されたものである。前記外装カバー３８と内側カバー３９には、焼成室３の中央に対応する位置に貫通孔が設けられ、その貫通孔に耐熱性を有する透明なガラスからなる覗窓４０が装着されている。
【００２３】
前記パンケース４１は、その外形が略四角形状をなし、その上端開口の対向位置には一対の軸受部４２が設けられ、これら軸受部４２に略凹字形状をなすハンドル部材４３が回動可能に装着されている。このパンケース４１の底面中央には、内部に収容したパン材料を撹拌するための羽根部材４４が回転可能に装着されている。また、パンケース４１の底中央の外面には、パンケース４１を載置するための台座部材４５が設けられている。この台座部材４５には、前記羽根部材４４の軸部を回転可能に軸着する軸受部４５ａが設けられている。また、前記羽根部材４４の軸部には、その下端に前記動力伝達機構１３の連結部１６ａに着脱可能に連結するための連結部材４６が設けられている。
【００２４】
前記構成の製パン機では、第１プーリ１６を回転可能に装着する軸受部材１５は、図２（Ａ），（Ｂ）に示すように、ガイド溝２２に凸部３２を挿通させた状態で、貫通孔２５にネジ４７を貫通させてネジ孔３４に締め付けることにより、その締付量に従って駆動モータ１１から離間する方向に移動する。
【００２５】
そのため、前記動力伝達機構１３を組み立てる際には、まず、基体１４に対して駆動モータ１１を固定するとともに、その出力軸に第２プーリ１７を固定した後、制御基板１２を取り付けていない状態で、第１プーリ１６を回転可能に支持した前記軸受部材１５を基体１４に対して配置する。
【００２６】
そして、図２（Ａ）に示すように、ネジ４７を貫通孔２５に貫通させ、その先端をネジ孔３４に締め付ける。この状態では、図４に示すように、第１プーリ１６と第２プーリ１７とは接近した状態をなす。その結果、これらプーリにエンドレスベルト１８を簡単に巻回することができる。
【００２７】
ついで、図２（Ｂ）に示すように、ネジ４７をネジ孔３４に締め付け、前述のように、軸受部材１５を駆動モータ１１から離間する方向に移動させる。これにより、図５に示すように、一緒に第１プーリ１６が第２プーリ１７から離間する方向に移動する。
【００２８】
その結果、第１プーリ１６と第２プーリ１７にかけてエンドレスベルト１８を確実に張設した状態に巻回できる。この状態で、ネジ４７を貫通孔２３を通してネジ孔３３に強固に締め付けることにより、エンドレスベルト１８を張設した状態で確実に位置決め固定できる。
【００２９】
そのため、従来では、エンドレスベルト１８の巻回作業の困難性により、駆動モータ１１を焼成室３と上下にオーバーラップするように配置するには限界があったが、本発明では、第１プーリ１６と第２プーリ１７とが接近した状態でも確実にエンドレスベルト１８を張設できるため、駆動モータ１１を焼成室３の下部に最大限オーバーラップするように配置することができる。その結果、製パン機に形状の小型化を図ることができる。
【００３０】
図６および図７は第２実施形態の製パン機に使用する基体１４および軸受部材１５を示す。この第２実施形態では、第１実施形態に示すガイド溝２２および凸部３２は設けない構成とし、位置決め手段を構成する基体１４の貫通孔２３をプーリ１６，１７の接離方向に延びる長円形状に形成した点でのみ、第１実施形態と相違している。
【００３１】
この第２実施形態では、ネジ４７を含む貫通孔２３とネジ孔３３とは、スライド手段と位置決め手段の役割をなす。また、ネジ４７を含む貫通孔２５とネジ孔３４とは、位置決め手段とエンドレスベルト１８の張力を調整する調整手段の役割をなす。
【００３２】
そして、この第２実施形態の基体１４および軸受部材１５を使用した動力伝達機構１３を組み立てる場合には、図６（Ａ）に示すように、ネジ４７を貫通孔２３に貫通させてネジ孔３３に仮締めした状態で、ネジ４７を貫通孔２５に貫通させ、その先端をネジ孔３４に締め付ける。
【００３３】
ついで、図６（Ｂ）に示すように、ネジ４７をネジ孔３４に対して締め付けることにより、エンドレスベルト１８を第１プーリ１６と第２プーリ１７にかけて所定の張力で張設すると、ネジ孔３３に対してネジ４７を強固に締め付けることにより、移動不可能な状態に位置決め固定する。
【００３４】
このように、第２実施形態では、第１実施形態と同様に、第１プーリ１６と第２プーリ１７とを接近させた状態で、これらにエンドレスベルト１８を巻回することができるため、取付作業性の向上を図ることができる。また、本実施形態では、ネジ孔３４は、エンドレスベルト１８の張力を微調整する役割をなすため、使用するエンドレスベルト１８に寸法誤差があっても確実に張設した状態に巻回することができる。
【００３５】
なお、本発明の製パン機は前記実施形態の構成に限定されるものではない。
例えば、前記第２実施形態では、長円形状の貫通孔２３とネジ孔３３とのネジ止めにより、スライド手段と位置決め手段との役割をなすようにしたが、図８および図９に示す構成としてもよい。
【００３６】
具体的には、図８に示すように、基体１４には、ガイド溝２２における駆動モータ１１の側に位置する端部に挿入部２２ａが形成されている。また、軸受部材１５には、図９（Ａ）に示すように、ネジ孔３３の代わりに、前記ガイド溝２２に前記挿入部２２ａから挿入することにより係合する略Ｌ字形状の係合突起４８が設けられている。
【００３７】
この場合、位置決め手段は、図９（Ｂ）に示すように、基体１４における切起部２４には、貫通孔２５の上部に位置決め片４９を突設するとともに、軸受部材１５におけるネジ孔３４の上部には前記位置決め片４９を挿入する凹部５０を設けることが好ましい。
【００３８】
このようにすれば、第２実施形態と同様に、水平および垂直方向の移動を防止し、プーリ１６，１７の接離方向に沿ってスライドさせることができるとともに、ネジ４７の締付量に応じてエンドレスベルト１８の張力を調整できる。
【００３９】
勿論、前記ガイド溝２２と係合突起４８からなるスライド手段の構成は、第１実施形態にも適用可能である。
【００４０】
【発明の効果】
以上の説明から明らかなように、本発明の製パン機では、第１プーリを第２プーリに対して接離する方向に移動可能に装着しているため、第１プーリと第２プーリとを接近させた状態で、これらにエンドレスベルトを巻回することにより、簡単に巻回することができる。そして、この状態で第１プーリを離間させてエンドレスベルトを張設し、この状態で位置決め手段によって位置決めすることにより、確実にエンドレスベルトの張設状態を維持できる。
【図面の簡単な説明】
【図１】本発明の製パン機を示す断面図である。
【図２】（Ａ），（Ｂ）は第１実施形態の基体と軸受部材の構造を示す断面図である。
【図３】軸受部材を示し、（Ａ）正面図、（Ｂ）は底面図である。
【図４】図２（Ａ）の状態での軸受部材、第１プーリ、第２プーリおよびエンドレスベルトの関係を示す平面図である。
【図５】図２（Ｂ）の状態での軸受部材、第１プーリ、第２プーリおよびエンドレスベルトの関係を示す平面図である。
【図６】（Ａ），（Ｂ）は第２実施形態の基体と軸受部材の構造を示す断面図である。
【図７】図６（Ｂ）の状態での軸受部材、第１プーリ、第２プーリおよびエンドレスベルトの関係を示す平面図である。
【図８】基体の変形例を示す平面図である。
【図９】（Ａ）はスライド手段の変形例を示す断面図、（Ｂ）は位置決め手段の変形例を示す断面図である。
【符号の説明】
１…本体、３…焼成室、４…ヒータ、１１…駆動モータ、１３…動力伝達機構、１４…基体、１５…軸受部材、１６…第１プーリ、１７…第２プーリ、１８…エンドレスベルト、２２…ガイド溝、２３…貫通孔、２４…切起部、３２…凸部、３４…ネジ孔、３７…蓋体、４１…パンケース、４４…羽根部材。
【図１】
2004008337.tif 000003
【図２】
2004008337.tif 000004
【図３】
2004008337.tif 000005
【図４】
2004008337.tif 000006
【図５】
2004008337.tif 000007
【図６】
2004008337.tif 000008
【図７】
2004008337.tif 000009
【図８】
2004008337.tif 000010
【図９】
2004008337.tif 000011